(57)【特許請求の範囲】
【請求項１】
第１の設定温度に基づく通常運転が行われる時間帯の中の特定の時間帯においてのみ第２の設定温度にシフトさせるように制御する空気調和機のセットバックタイマであって、
通常運転及びセットバック運転に関する情報を表示する表示画面（１５）を備えるとともに、
上記表示画面（１５）には、１日の時間帯において通常運転が行われる時間帯を示す通常運転時間帯表示（５３）と、通常運転時間帯の中においてセットバック運転が行われる時間帯を示すセットバック時間帯表示（６４）とがそれぞれ異なる表示エリア（１５ｃ），（１５ｄ）で独立してかつ時刻毎に対比可能に表示され、
上記通常運転時間帯表示（５３）の近傍の表示エリア（１５ｃ）には上記第１の設定温度（５２）が、また上記セットバック時間帯表示（６４）の近傍の表示エリア（１５ｄ）には上記第２の設定温度（６３）がそれぞれ表示されていることを特徴とする空気調和機のセットバックタイマ。
【請求項２】
上記通常運転時間帯表示（５３）に隣接して上記セットバック時間帯表示（６４）が表示されていることを特徴とする請求項１記載の空気調和機のセットバックタイマ。
【請求項３】
上記通常運転時間帯表示（５３）の近傍に上記セットバック時間帯表示（６４）が表示されていることを特徴とする請求項１記載の空気調和機のセットバックタイマ。
【請求項４】
上記通常運転時間帯表示（５３）と上記セットバック時間帯表示（６４）とが、１日の時間帯が連続した棒グラフ状の表示形態で表示されていることを特徴とする請求項１、２又は３記載の空気調和機のセットバックタイマ。
【請求項５】
上記通常運転時間帯表示（５３）と上記セットバック時間帯表示（６４）とにはそれぞれ２時間毎の時刻指標（５４），（６５）が付設されていることを特徴とする請求項１、２、３又は４記載の空気調和機のセットバックタイマ。
【請求項６】
上記表示画面（１５）に、１週間の各曜日毎に空気調和機の運転の有無を示す曜日表示（４４）が表示されていることを特徴とする請求項１記載の空気調和機のセットバックタイマ。
【請求項７】
上記曜日表示（４４）が各曜日の英字表記の頭３文字で表示されていることを特徴とする請求項６記載の空気調和機のセットバックタイマ。
【請求項８】
請求項１、２、３、４、５、６又は７記載のセットバックタイマを空気調和機と組み合わせたことを特徴とする空気調和システム。
【請求項９】
第１の設定温度に基づく通常運転が行われる時間帯の中の特定の時間帯においてのみ第２の設定温度にシフトさせるように制御する空気調和機のセットバックタイマの表示設定方法であって、
上記セットバックタイマにおいて空気調和機の通常運転及びセットバック運転に関する情報を表示する表示画面（１５）に、１日の時間帯において通常運転が行われる時間帯を示す通常運転時間帯表示（５３）と、通常運転時間帯の中においてセットバック運転が行われる時間帯を示すセットバック時間帯表示（６４）とをそれぞれ異なる表示エリア（１５ｃ），（１５ｄ）で独立してかつ時刻毎に対比可能に表示するとともに、
上記通常運転時間帯表示（５３）の近傍の表示エリア（１５ｃ）に上記第１の設定温度（５２）を、また上記セットバック時間帯表示（６４）の近傍の表示エリア（１５ｄ）に上記第２の設定温度（６３）をそれぞれ表示することを特徴とする空気調和機のセットバックタイマの表示設定方法。
【発明の詳細な説明】
【技術分野】
【０００１】
本発明は、空気調和機のセットバックタイマ、それと空気調和機を組み合わせた空気調和システム、及びセットバックタイマの表示設定方法に関する。
【背景技術】
【０００２】
一般に空気調和機においては、室内機から吹き出される空調風によって室内の冷房・暖房を行う場合、室内機に付設されたリモートコントローラによって運転状態、例えば吹出風量、風向等の空調要素の設定を行うようになっているが、さらにこれに加えて、セットバックタイマを付設し、１日の時間帯の中で所定の設定温度に基づく通常の空調運転を行う時間帯の設定（すなわち、１日の時間帯のうちどの時刻で運転を開始してどの時刻で運転を停止するかの設定）を行うとともに、通常の空調運転時間内におけるセットバック運転の時間帯の設定（すなわち、上記設定温度を時刻に対応して予めプログラムされたセットバック温度にシフトさせて運転する制御をどの時刻で開始してどの時刻で停止させるかの設定）を行うようになっており、斯かるセットバック運転の実行によって省エネ運転を実現するものである。
【０００３】
ところで、セットバックタイマは使用者が設定内容を確認しながらプログラム操作を行うものであることから、プログラム操作に伴う設定内容やその変更等を容易かつ正確に確認できることが必要となる。
【０００４】
ところが、従来のセットバックタイマにおいては、例えば、
（イ）１日の時間帯における設定内容の表示が上下２段に分割して表示されているので、時間帯のつながり、延いては設定時間帯の確認がし難い。
（ロ）時間帯の時刻表示が３時間単位で行われており、通常の時間感覚と異なることから時刻確認がし難い。
（ハ）通常運転及びセットバック運転のそれぞれにおける時間帯表示と温度表示とを、単一の時間帯表示エリアと単一の温度表示エリアを使用して選択的に行うものとし、かつ通常運転時には上記各表示を点灯表示とする一方、セットバック運転時には上記表示を点滅表示とすることでこれら両者の表示を区別する構成であるので、特にセットバック運転時には表示内容の確認がしづらいとともに、通常運転時及びセットバック運転時の双方の表示内容を同時に対比して確認することができず、操作上不便である。
（ニ）１週間の曜日表示が各曜日の英字表記の頭１文字で表示されているが、曜日表示は英字表記の頭３文字で表示するのが常識化していることからして、曜日の確認がしづらい
等の問題があった。
【０００５】
本発明は斯かる点に鑑みてなされたもので、その主たる目的は、空気調和機のセットバックタイマにおいて、設定内容の表示の仕方を工夫することで、設定内容の確認の容易性、確実性を高めることにある。
【０００６】
（発明の開示）
上記の目的を達成するために、本発明では、上記課題を解決するための具体的手段として次のような構成を採用している。
【０００７】
本願の第１の発明では、第１の設定温度に基づく通常運転が行われる時間帯の中の特定の時間帯においてのみ第２の設定温度にシフトさせるように制御する空気調和機のセットバックタイマであって、通常運転及びセットバック運転に関する情報を表示する表示画面１５を備えるとともに、この表示画面１５には、１日の時間帯において通常運転が行われる時間帯を示す通常運転時間帯表示５３と、通常運転時間帯の中においてセットバック運転が行われる時間帯を示すセットバック時間帯表示６４とをそれぞれ異なる表示エリア１５ｃ，１５ｄで独立してかつ時刻毎に対比可能に表示し、上記通常運転時間帯表示５３の近傍の表示エリア１５ｃには上記第１の設定温度５２を、また上記セットバック時間帯表示６４の近傍の表示エリア１５ｄには上記第２の設定温度６３をそれぞれ表示するようにしたことを特徴としている。
【０００８】
本願の第２の発明では、上記第１の発明に係る空気調和機のセットバックタイマにおいて、上記通常運転時間帯表示５３に隣接して上記セットバック時間帯表示６４を表示するようにしたことを特徴としている。
【０００９】
本願の第３の発明では、上記第１の発明に係る空気調和機のセットバックタイマにおいて、上記通常運転時間帯表示５３の近傍に上記セットバック時間帯表示６４を表示するようにしたことを特徴としている。
【００１０】
本願の第４の発明では、上記第１、第２又は第３の発明に係る空気調和機のセットバックタイマにおいて、上記通常運転時間帯表示５３と上記セットバック時間帯表示６４とを、１日の時間帯が連続した棒グラフ状の表示形態で表示するようにしたことを特徴としている。
【００１１】
本願の第５の発明では、上記第１、第２、第３又は第４の発明に係る空気調和機のセットバックタイマにおいて、上記通常運転時間帯表示５３と上記セットバック時間帯表示６４とにはそれぞれ２時間毎の時刻指標５４，６５を付設したことを特徴としている。
【００１２】
本願の第６の発明では、上記第１の発明に係る空気調和機のセットバックタイマにおいて、上記表示画面１５に、１週間の各曜日毎に空気調和機の運転の有無を示す曜日表示４４を表示するようにしたことを特徴としている。
【００１３】
本願の第７の発明では、上記第６の発明に係る空気調和機のセットバックタイマにおいて、上記曜日表示４４を各曜日の英字表記の頭３文字で表示するようにしたことを特徴としている。
【００１４】
本願の第８の発明では、上記第１、第２、第３、第４、第５、第６又は第７の発明に係るセットバックタイマを空気調和機と組み合わせて空気調和システムとしたことを特徴とする。
【００１５】
本願の第９の発明では、第１の設定温度に基づく通常運転が行われる時間帯の中の特定の時間帯においてのみ第２の設定温度にシフトさせるように制御する空気調和機のセットバックタイマの表示設定方法であって、セットバックタイマにおいて空気調和機の通常運転及びセットバック運転に関する情報を表示する表示画面１５に、１日の時間帯において通常運転が行われる時間帯を示す通常運転時間帯表示５３と、通常運転時間帯の中においてセットバック運転が行われる時間帯を示すセットバック時間帯表示６４とをそれぞれ異なる表示エリア１５ｃ，１５ｄで独立してかつ時刻毎に対比可能に表示するとともに、上記通常運転時間帯表示５３の近傍の表示エリア１５ｃに上記第１の設定温度５２を、また上記セットバック時間帯表示６４の近傍の表示エリア１５ｄに上記第２の設定温度６３をそれぞれ表示することを特徴とする。
【００１６】
本願発明では斯かる構成とすることにより、次のような効果が得られる。
【００１７】
（1）本願の第１の発明及び第１１の発明によれば、第１の設定温度に基づく通常運転が行われる時間帯の中の特定の時間帯においてのみ第２の設定温度にシフトさせるように制御する空気調和機のセットバックタイマにおいて、通常運転及びセットバック運転に関する情報を表示する表示画面１５には、１日の時間帯において通常運転が行われる時間帯を示す通常運転時間帯表示５３と、通常運転時間帯の中においてセットバック運転が行われる時間帯を示すセットバック時間帯表示６４とをそれぞれ異なる表示エリア１５ｃ，１５ｄで独立してかつ時刻毎に対比可能に表示しているので、通常運転の時間帯と該時間帯内におけるセットバック運転の時間帯とのそれぞれを一目にして容易かつ正確に確認することができ、設定内容の確認性や容易性が格段に向上し、延いては空気調和機の操作性の向上にも寄与し得るものである。
【００１８】
また、上記通常運転時間帯表示５３の近傍の表示エリア１５ｃには上記第１の設定温度５２を、また上記セットバック時間帯表示６４の近傍の表示エリア１５ｄには上記第２の設定温度６３をそれぞれ表示しているので、通常運転時間帯とその設定温度５２との関係、及びセットバック時間帯とそのセットバック温度６３との関係が一目で容易に確認でき、上記の効果がより一層顕著となる。
【００１９】
（2）本願の第２の発明によれば、上記第１の発明に係る空気調和機のセットバックタイマにおいて、上記通常運転時間帯表示５３に隣接して上記セットバック時間帯表示６４を表示しているので、通常運転時間帯とセットバック時間帯との関係を一目で迅速かつ容易に対比しつつ確認でき、それだけ上記（1）に記載の効果が一層促進されるものである。
【００２０】
（3）本願の第３の発明によれば、上記第１の発明に係る空気調和機のセットバックタイマにおいて、上記通常運転時間帯表示５３の近傍に上記セットバック時間帯表示６４を表示しているので、通常運転時間帯とセットバック時間帯との関係を一目で迅速かつ容易に対比しつつ確認でき、それだけ上記（1）に記載の効果が一層促進されるものである。
【００２１】
（4）本願の第４の発明によれば、上記第１、第２又は第３の発明に係る空気調和機のセットバックタイマにおいて、上記通常運転時間帯表示５３と上記セットバック時間帯表示６４とを、１日の時間帯が連続した棒グラフ状の表示形態で表示しているので、一目にして通常運転時間帯とセットバック時間帯とを経時的に容易に確認することができ、それだけ上記（1）、（2）又は（3）に記載の効果が促進されるものである。
【００２２】
（5）本願の第５の発明によれば、上記第１、第２、第３又は第４の発明に係る空気調和機のセットバックタイマにおいて、上記通常運転時間帯表示５３と上記セットバック時間帯表示６４とにはそれぞれ２時間毎の時刻指標５４，６５を付設しており、斯かる２時間毎の時刻指標は一般的な表示形態でありかつ１日の時間帯中における割合の把握も容易であることから、１日の時間帯における設定内容をより容易かつ正確に確認することができることとなり、上記（1）、（2）、（3）又は（4）に記載の効果がさらに促進されることになる。
【００２３】
（6）本願の第６の発明によれば、上記第１の発明に係る空気調和機のセットバックタイマにおいて、上記表示画面１５に、１週間の各曜日毎に空気調和機の運転の有無を示す曜日表示４４と、現在時刻を示す時刻表示４６とを表示しているので、各曜日毎の空気調和機の運転の有無の確認が容易であり、それだけ上記（1）に記載の効果がより一層促進されることになる。
【００２４】
（7）本願の第７の発明によれば、上記第６の発明に係る空気調和機のセットバックタイマにおいて、上記曜日表示４４を各曜日の英字表記の頭３文字で表示しているので、例えば曜日表示を各曜日の英字表記の頭１文字で表示する場合に比して、曜日表示４４の視認による曜日確認が容易であり、それだけ上記（6）の効果がさらに高められることになる。
【００２５】
（8）本願の第８の発明によれば、第１、第２、第３、第４、第５、第６又は第７の発明に係るセットバックタイマを空気調和機と組み合わせて空気調和システムとしたので、上記（1）、（2）、（3）、（4）、（5）、（6）又は（7）に記載の効果が発揮される空気調和システムが得られる。
【００２６】
（発明を実施するための最良の形態）
本発明を実施するための最良の形態を実施例として図面により説明する。図１は本発明の実施例に係るセパレート型空気調和システムの制御系の構成を示している。この空気調和システムは、内外伝送線により電気的に接続された室外機１と室内機２とからなる空気調和機Ａを備え、上記室内機２にはリモートコントローラ３とセットバックタイマ４とが並列に接続されている。
【００２７】
上記リモートコントローラ３は、室内居住者が自己の好みに応じて空調特性を設定し、或いはこれを変更するために使用されるものであって、例えば吹出風量とか風向の設定或いは変更がこれに該当する。
【００２８】
上記セットバックタイマ４は、本願発明の要旨を成すものであって、通常運転の時間帯の設定及びその温度設定、並びにセットバック運転の時間帯の設定及びその温度設定を行うものであり、斯かる各設定を行うに際して、その設定操作の簡便さは勿論のこと、設定内容の確認の容易さも要求されるものである。
【００２９】
そこで、この実施例のセットバックタイマ４においては、特に設定内容の確認の容易さを高めるべく、その表示形態や表示方式等に従来にない新規な構成を採用したものである。以下、このセットバックタイマ４の具体的構成等について詳述する。
【００３０】
尚、セットバック運転は、１日の時間帯のうち、所定の「設定温度」に基づいて運転される「通常運転」の時間帯の中の特定の時間帯だけ該設定温度よりも高く（冷房運転時）、或いは低く（暖房運転時）設定した「セットバック温度」で運転を行うものである。
【００３１】
図２〜図４に示すように、上記セットバックタイマ４は、室内壁面５に取り付けられた状態で操作が行われるものであって（例えば図４参照）、全体として、矩形薄板状の外観形態を持ち、その上半部に表示部１２が、また下半部に操作部１３がそれぞれ設けられている。
【００３２】
（表示部１２の構成）
上記表示部１２は、通常運転とセットバック運転とにそれぞれ関する情報を表示するものであって、その表面側には横長矩形の平面形状をもつ表示画面１５が設けられている。この表示画面１５は、例えば液晶画面で構成されるものであって、表示エリアとして、分割された４つの表示エリア、すなわち表示画面１５の上から１／３の領域の左側半分を占める第１表示エリア１５ａと、表示画面１５の上から１／３の領域の右側半分を占める第２表示エリア１５ｂと、上記第１表示エリア１５ａ及び第２表示エリア１５ｂの下側に位置し、表示画面１５の上下幅の略１／３の領域を占める横長矩形の第３表示エリア１５ｃと、この第３表示エリア１５ｃの下側に位置し、表示画面１５の下から１／３の領域を占める横長の第４表示エリア１５ｄとが設定されている。
【００３３】
上記第１表示エリア１５ａには、その最上段に点灯・消灯されるロック表示４１及びプログラム設定表示４２が、また中段に点灯・消灯される７つのON-OFF表示４３がそれぞれ設けられ、さらにその最下段には上記各ON-OFF表示４３のそれぞれに対応して曜日指標４４が設けられている。
【００３４】
尚、この場合、上記曜日指標４４は、その認識性を高める意味から、１週間の各曜日をその英字表記の頭３文字で「MON」、「TUE」等と表示するようにしている。また、この曜日指標４４の各曜日に対応する上記ON-OFF表示４３は、その「ON」点灯でその曜日に「空気調和機の運転を行う」ことを、また「OFF」点灯でその曜日に「空気調和機の運転を行わない」ことをそれぞれ示している。
【００３５】
上記第２表示エリア１５ｂには、今日の曜日を示す曜日表示４７と、サマータイムの設定を示すサマータイム設定表示４５と、時刻の設定を表示する時計設定表示４８と、現在時刻を示す時計表示４６とが設けられている。すなわち、この第２表示エリア１５ｂには、現時点における情報がまとめて表示されている。
【００３６】
上記第３表示エリア１５ｃは、通常運転に関する情報を表示するエリアであって、その左半部には通常運転時の設定温度５２（この「設定温度」が請求の範囲の「第１の設定温度」に該当する）が、また右半部には１日の時間帯を１本の連続した棒グラフ状の表示形態で示す通常運転時間帯表示５３がそれぞれ設けられている。また、この通常運転時間帯表示５３には、３０分毎に区画線が設けられ、その上側には２時間毎に時刻指標５４が設けられており、この通常運転時間帯表示５３には、１日の時間帯のうち、通常運転が行われる時間帯（すなわち、通常運転の開始時刻から停止時刻までの時間帯）が点灯表示される。
【００３７】
上記第４表示エリア１５ｄは、セットバック運転に関する情報を表示するエリアであって、その左半部には冷房及び暖房の運転切替えを示す運転切替表示６２と、セットバック運転時の設定温度、すなわちセットバック温度６３（この「セットバック温度」が請求の範囲の「第２の設定温度」に該当する）が、また右半部には１日の時間帯を１本の連続した棒グラフ状の表示形態で示すセットバック時間帯表示６４がそれぞれ設けられている。また、このセットバック時間帯表示６４には、３０分毎に区画線が設けられ、その上側には２時間毎に時刻指標５４が設けられており、このセットバック時間帯表示６４には、１日の時間帯のうち、セットバック運転が行われる時間帯（すなわち、セットバック運転の開始時刻から停止時刻までの時間帯）が点灯表示される。
【００３８】
尚、図２において、符号２１は運転スイッチである。
【００３９】
（操作部１３の構成）
上記操作部１３は、通常運転及びセットバック運転における温度設定、時刻設定等の入力操作を行う部位であって、ここには後述する各種の操作ボタンが配置されている。
【００４０】
すなわち、上記操作部１３は、ボタン配置位置が操作部１３の上から略２／３の領域を占める上側配置部１３ａと、下から１／３の領域を占める下側配置部１３ｂとに区画されている。
【００４１】
上記上側配置部１３ａは、さらに左右方向に６つの部位、すなわち左上端隅部に位置する第１部位１３ａ１と、該第１部位１３ａ１の下側からその右側の部分に至る第２部位１３ａ２と、該第２部位１３ａ２の右側に位置する第３部位１３ａ３と、該第３部位１３ａ３の右側に位置する第４部位１３ａ４と、右上端隅部の上側に位置する第５部位１３ａ５と、右上端隅部の下側に位置する第６部位１３ａ６とに区画されている。
【００４２】
そして、上記第１部位１３ａ１には、設定操作において最も頻繁に操作されるプログラムボタン２２が配置されている。
【００４３】
上記第２部位１３ａ２は、時刻設定（すなわち、通常運転とセットバック運転とにおける運転時間帯の設定）を行う部位であって、ここには通常運転及びセットバック運転を選択する運転選択ボタン２３と、決定ボタン２４と、時刻設定用の遅刻ボタン２５及び進刻ボタン２６とが配置されている。この第２部位１３ａ２の上記各ボタン２３〜２６によって設定された内容は、上記表示部１２の通常運転時間帯表示５３及びセットバック時間帯表示６４にそれぞれ表示される。
【００４４】
上記第３部位１３ａ３は、温度設定を行う部位であって、ここには運転切替ボタン２７と、降温ボタン２８及び昇温ボタン２９とが配置されている。この第３部位１３ａ３の各ボタン２７〜２９によって設定された内容は、上記表示部１２に設定温度５２及びセットバック温度６３として表示される。
【００４５】
上記第４部位１３ａ４は、１週間の各曜日について休日設定を行う部位であって、ここには曜日選択ボタン３０と休日設定ボタン３１とが配置されている。この第４部位１３ａ４の上記各ボタン３０，３１によって設定された内容は、上記表示部１２にON-OFF表示４３として表示される。
【００４６】
上記第５部位１３ａ５には、時刻合わせ用の時計ボタン３２が、また上記第６部位１３ａ６にはサマータイム設定用のサマータイムボタン３３がそれぞれ配置されており、時計ボタン３２の操作により上記表示部１２の時計設定表示４８が点灯表示されるとともに、これによって設定された現在時刻は時計表示４６として表示される。また、上記サマータイムボタン３３の操作により上記表示部１２のサマータイム設定表示４５が点灯表示されるとともに、サマータイムが上記時計表示４６として表示される。
【００４７】
上記下側配置部１３ｂには、上記各ボタンによる設定内容を解除するための解除ボタン３４が配置されている。
【００４８】
以上のように、表示部１２と操作部１３とを備えたセットバックタイマ４においては、上記操作部１３側において設定した設定内容を、上記表示部１２側の各表示エリアにそれぞれ表示するものであるが、その際、上記表示部１２における表示形態或いは表示方法を上述の如く設定することで、以下のような特有の作用効果が得られるものである。
【００４９】
すなわち、この実施例のセットバックタイマ４においては、上記表示画面１５に、１日の時間帯の中で所定の設定温度に基づき空調運転を行う時間帯を示す通常運転時間帯表示５３と、１日の時間帯の中でセットバック制御を行う時間帯を示すセットバック時間帯表示６４とをそれぞれ独立して表示する。このため、その各運転時間帯を共に容易に確認することができる。しかも、この場合において、これら２つの運転時間帯表示５３，６４を上下２段に隣接して表示して両者を時刻毎に対比可能としているので、通常運転時間帯と、この通常運転時間帯内においてセットバック運転が行われる時間帯との関係を、１日の時間帯における時刻に対応させて一目にして容易かつ正確に確認することができる。これらの結果、上記表示部１２における設定内容の確認性や容易性が格段に向上し、延いては上記セットバックタイマ４が備えられた空気調和機Ａの操作性の向上が期待できるものである。
【００５０】
また、上記の場合において、上記通常運転時間帯表示５３とセットバック時間帯表示６４とを、１日の時間帯を備えた１本の連続した棒グラフ状の表示形態で、かつ時刻毎に対比可能に隣接して表示しているので、例えば従来のように１日の時間帯を２段に分割した棒グラフ状の表示形態で表示する場合に比して、１日における運転時間帯の把握確認がより一層容易となる。
【００５１】
さらに、上記通常運転時間帯表示５３及びセットバック時間帯表示６４にそれぞれ２時間毎の時刻指標５４，６５を付設しているが、斯かる２時間毎の時刻指標は一般的な表示形態でありかつ１日の時間帯中における割合の把握も容易であることから、例えば従来のように３時間毎の時刻指標とする場合に比して、１日の時間帯における設定内容をより一層容易かつ正確に確認することができる。
【００５２】
また、上記通常運転時間帯表示５３の近傍には通常運転における設定温度５２を、またセットバック時間帯表示６４の近傍にはセットバック運転における設定温度６３をそれぞれ表示するので、通常運転時間帯及びその設定温度の関係、並びにセットバック運転時間帯及びその設定温度の関係が一目で容易に確認でき、上記各効果がより一層顕著となる。
【００５３】
一方、この実施例のセットバックタイマ４においては、上記表示画面１５に、１週間の各曜日毎に運転制御の設定の有無を示す曜日表示４４と、現在時刻を示す時刻表示４６とを表示するようにしているので、各曜日毎の運転制御の設定の有無とセットバック制御が行われる場合におけるその内容（時刻と設定温度）との対比、及び現在時刻と通常運転時間帯或いはセットバック運転時間帯との対比、例えば今からどれぐらいの時間でセットバック制御が開始されるかを判断することが容易となる。さらに、この場合において、上記曜日表示４４を各曜日の英字表記の頭３文字で表示しているので、例えば、曜日表示を各曜日の英字表記の頭１文字で表示する場合に比して、曜日表示４４の視認による曜日確認が容易となり、上記表示画面１５における確認性がさらに向上するものである。
【００５４】
（産業上の利用可能性）
本発明は、空気調和機のセットバックタイマにおいて、通常運転及びセットバック運転に関する情報を表示する表示画面に、１日の時間帯において通常運転が行われる時間帯を示す通常運転時間帯表示と、通常運転時間帯の中においてセットバック運転が行われる時間帯を示すセットバック時間帯表示とをそれぞれ独立して表示するので、通常運転の時間帯と該時間帯内におけるセットバック運転の時間帯のそれぞれを一目にして容易かつ正確に確認でき、設定内容の確認性、容易性が格段に向上し、延いては空気調和機の操作性の向上にも寄与し得る特別顕著な効果を奏することができる点で産業上の利用可能性は高い。
【図面の簡単な説明】
【００５５】
【図１】図１は、本発明の実施例に係る空気調和システムの制御系の概略図である。
【図２】図２は、セットバックタイマの正面図である。
【図３】図３は、セットバックタイマのカバー装着状態における正面図である。
【図４】図４は、セットバックタイマの側面図である。
【図１】
0003979292.tif 000002
【図２】
0003979292.tif 000003
【図３】
0003979292.tif 000004
【図４】
0003979292.tif 000005